(57)【要約】【課題】工事費を低くし、かつ、作業時間を短くすることができるとともに、ケーブルが破損するのを防止することができるようにする。【解決手段】トラフＴｒ１内に収容された状態で地中に敷設されたケーブル１５を撤去するために使用される。前端に、ケーブル１５の一端を取り込むための開口を備えた管体４５と、管体４５を前進させ、ケーブル１５を包囲した状態でトラフＴｒ１内に押し込むためのケーブル搬送装置４７と、管体４５の後端に接続され、トラフＴｒ１内に充填された充填材を管体４５内に取り込み、管体４５外に排出する充填材排出装置５０とを有する。管体４５が前進させられて、トラフＴｒ１内に押し込まれ、トラフＴｒ１内においてケーブル１５の周囲に充填された充填材が管体４５内に取り込まれ、管体４５外に排出されるので、ケーブル１５の周囲の充填材が除去された状態にすることができる。【選択図】図１
2015171190.tif 000002
【特許請求の範囲】
【請求項１】
トラフ内に収容された状態で地中に敷設されたケーブルを撤去するためのケーブル撤去装置において、
（ａ）所定の長さを有し、前端に、前記ケーブルの一端を取り込むための開口を備えた管体と、
（ｂ）該管体を前進させ、前記ケーブルを包囲した状態でトラフ内に押し込むためのケーブル搬送装置と、
（ｃ）前記管体の後端に接続され、トラフ内においてケーブルの周囲に充填された充填材を管体内に取り込み、管体外に排出する充填材排出装置とを有することを特徴とするケーブル撤去装置。
【請求項２】
前記充填材排出装置は、前記管体の前端の周囲の空気を吸引する吸引装置を備える請求項１に記載のケーブル撤去装置。
【請求項３】
前記管体は、可撓性を有する管によって形成される請求項１又は２に記載のケーブル撤去装置。
【請求項４】
（ａ）前記管体は、外管及び内管を備えた二重管構造を有し、
（ｂ）前記外管と内管との間に、アタッチメントの前端の開口から空気を吐出するための空気供給部が形成される請求項１〜３のいずれか１項に記載のケーブル撤去装置。
【請求項５】
前記アタッチメントの前端部の外周面に、空気を吐出するためのスリットが形成される請求項４に記載のケーブル撤去装置。
【請求項６】
トラフ内に収容された状態で地中に敷設されたケーブルを撤去するためのケーブル撤去方法において、
（ａ）所定の長さを有し、前端に、前記ケーブルの一端を取り込むための開口を備えた管体を前進させ、前記ケーブルを包囲した状態でトラフ内に押し込み、
（ｂ）トラフ内において管体の周囲に充填された充填材を管体内に取り込み、管体外に排出することを特徴とするケーブル撤去方法。
【請求項７】
前記管体の前端の周囲の空気を吸引することによって、前記管体の前端の周囲の充填材を管体内に取り込む請求項６に記載のケーブル撤去方法。
【請求項８】
（ａ）所定の長さを有し、前端に開口を備えた管体を前進させて、地中に配設されたトラフ内に押し込み、
（ｂ）トラフ内において管体の周囲に充填された充填材を管体内に取り込み、管体外に排出することを特徴とする管体敷設方法。
【請求項９】
（ａ）所定の長さを有し、前端に開口を備えた管体を前進させて、地中に配設されたトラフ内に押し込み、
（ｂ）トラフ内において管体の周囲に充填された充填材を管体内に取り込み、管体外に排出し、
（ｃ）管体内にケーブルを敷設することを特徴とするケーブル敷設方法。
【請求項１０】
（ａ）前記管体内のケーブルと新しいケーブルとを連結し、
（ｂ）前記管体内のケーブルを撤去することによって新しいケーブルを敷設する請求項９に記載のケーブル敷設方法。
【発明の詳細な説明】
【技術分野】
【０００１】
本発明は、ケーブル撤去装置、ケーブル撤去方法、管体敷設方法及びケーブル敷設方法に関するものである。
【背景技術】
【０００２】
従来、電力ケーブル、通信ケーブル等のケーブルを地中に敷設する場合、地上の道路をトラック等が通過したときに大きな荷重を受けて破損したり、土木工事が行われる際に掘削機等によって破損したりしないように、ケーブルは、コンクリート製のトラフ内に収容されるようになっている。
【０００３】
該トラフは、上方が開放された「Ｕ」字状の形状を有するブロック本体、及び該ブロック本体の上方の開放部分を覆う蓋部材を備える。ケーブルを地中に敷設するに当たり、ケーブルを敷設する経路に沿って地面が所定の深さで開削されて溝が形成され、溝内にブロック本体が並べて配設され、続いて、ブロック本体内にケーブルが延在させられた後、蓋部材がブロック本体上に載置される。なお、ブロック本体内には、トラフが破損しても、トラフ上の土砂がトラフ内に進入して道路が陥没することがないように、ケーブルを包囲するように砂が充填される（例えば、特許文献１参照。）。
【０００４】
ところで、ケーブルは、老朽化したり、何らかの原因で破損したりすると、撤去されたり、新しいケーブルと交換されたりする。その場合、作業者は、地面を開削し、蓋部材をブロック本体上から除去し、ブロック本体内の砂を除去してケーブルを撤去するか、又はケーブルを撤去した後、新しいケーブルを敷設する。
【先行技術文献】
【特許文献】
【０００５】
【特許文献１】特開２０１１−６１９９７号公報
【発明の概要】
【発明が解決しようとする課題】
【０００６】
しかしながら、前記従来のケーブルの撤去方法においては、ケーブルが敷設された経路に沿って地面を開削し、蓋部材をブロック本体上から除去し、ブロック本体内の砂を除去した後にケーブルを撤去する必要があるので、作業が煩わしい。また、開削に伴って生じる残土等を処理する必要があるので、工事費が高くなってしまう。さらに、ケーブルを撤去したり、交換したりした後に、地面を埋め戻す必要があるので、作業時間が長くなるだけでなく、道路に沿って地面を開削する場合には交通渋滞を引き起こしてしまう。
【０００７】
しかも、内部に油等の絶縁材料が充填されたケーブルを撤去する際に、外力が加わってケーブルが破損すると、絶縁材料が漏れ出すことがあり、その場合、環境を汚染してしまう。
【０００８】
本発明は、前記従来のケーブルの撤去方法の問題点を解決して、工事費を低くし、かつ、作業時間を短くすることができ、交通渋滞を引き起こすことがないだけでなく、ケーブルが破損するのを防止することができるケーブル撤去装置、ケーブル撤去方法、管体敷設方法及びケーブル敷設方法を提供することを目的とする。
【課題を解決するための手段】
【０００９】
本発明のケーブルの撤去装置は、トラフ内に収容された状態で地中に敷設されたケーブルを撤去するために使用される。
【００１０】
そして、所定の長さを有し、前端に、前記ケーブルの一端を取り込むための開口を備えた管体と、該管体を前進させ、前記ケーブルを包囲した状態でトラフ内に押し込むためのケーブル搬送装置と、前記管体の後端に接続され、トラフ内においてケーブルの周囲に充填された充填材を管体内に取り込み、管体外に排出する充填材排出装置とを有する。
【発明の効果】
【００１１】
本発明によれば、ケーブルの撤去装置は、トラフ内に収容された状態で地中に敷設されたケーブルを撤去するために使用される。
【００１２】
そして、所定の長さを有し、前端に、前記ケーブルの一端を取り込むための開口を備えた管体と、該管体を前進させ、前記ケーブルを包囲した状態でトラフ内に押し込むためのケーブル搬送装置と、前記管体の後端に接続され、トラフ内においてケーブルの周囲に充填された充填材を管体内に取り込み、管体外に排出する充填材排出装置とを有する。
【００１３】
この場合、管体が前進させられて、トラフ内に押し込まれ、トラフ内においてケーブルの周囲に充填された充填材が管体内に取り込まれ、管体外に排出されるので、ケーブルの周囲の充填材が除去された状態にすることができる。
【００１４】
したがって、ケーブルが敷設された経路に沿って地面を開削し、蓋部材をブロック本体上から除去して、ブロック本体内の砂を除去した後、ケーブルを撤去する必要がないので、作業を簡素化することができる。また、開削に伴って生じる残土等を処理する必要がないので、工事費を低くすることができる。しかも、ケーブルを撤去したり、交換したりした後に、地面を埋め戻す必要がないので、作業時間を短くすることができるだけでなく、道路に沿って作業を行う場合でも交通渋滞を引き起こすことがない。
【００１５】
さらに、ケーブルを新しいケーブルと交換する際に、撤去するケーブルと新しいケーブルとを連結し、撤去するケーブルを管体から引き出すだけで、新しいケーブルを敷設することができる。したがって、ケーブルを交換するための工事費を低くすることができる。
【００１６】
そして、ケーブルに外力が加わることがないので、ケーブルが破損するのを防止することができる。したがって、内部に油等の絶縁材料が充填されたケーブルを撤去する際にケーブルが破損して環境を汚染することがない。
【図面の簡単な説明】
【００１７】
【図１】本発明の第１の実施の形態におけるケーブル撤去装置を示す概念図である。
【図２】本発明の第１の実施の形態におけるケーブルの敷設状態を示す概念図である。
【図３】本発明の第１の実施の形態におけるトラフの斜視図である。
【図４】本発明の第１の実施の形態におけるトラフの断面図である。
【図５】本発明の第１の実施の形態におけるアタッチメントを示す斜視図である。
【図６】本発明の第１の実施の形態におけるケーブル撤去方法を説明するための第１の概念図である。
【図７】本発明の第１の実施の形態におけるケーブル撤去方法を説明するための第２の概念図である。
【図８】本発明の第１の実施の形態におけるケーブル撤去方法を説明するための第３の概念図である。
【図９】本発明の第１の実施の形態におけるケーブル撤去方法を説明するための第４の概念図である。
【図１０】本発明の第１の実施の形態におけるケーブル撤去方法を説明するための第５の概念図である。
【図１１】本発明の第１の実施の形態におけるケーブル撤去方法を説明するための第６の概念図である。
【図１２】本発明の第２の実施の形態における管体の要部斜視図である。
【図１３】本発明の第３の実施の形態におけるアタッチメントの斜視図である。
【発明を実施するための形態】
【００１８】
以下、本発明の実施の形態について図面を参照しながら詳細に説明する。
【００１９】
図２は本発明の第１の実施の形態におけるケーブルの敷設状態を示す概念図、図３は本発明の第１の実施の形態におけるトラフの斜視図、図４は本発明の第１の実施の形態におけるトラフの断面図である。
【００２０】
図において、１１は地面、１２は該地面１１に形成された道路、Ｔｒｉ（ｉ＝１、２、…、ｎ）はコンクリート製のトラフ、１５は該トラフＴｒｉ内に延在させて収容された状態で地中に敷設された、電力ケーブル、通信ケーブル等のケーブル、１６はトラフＴｒｉ内においてケーブル１５の周囲に充填された充填材としての砂である。前記各トラフＴｒｉは、それぞれ１〜２〔ｍ〕の長さを有し、互いに隣接させて地中に埋設され、トラフ列１７を形成する。
【００２１】
前記トラフＴｒｉは、上方が開放された「Ｕ」字状の形状を有するブロック本体１８、及び板状の形状を有し、前記ブロック本体１８の上端の開口Ｍｔを覆う蓋部材１９を備える。前記ブロック本体１８は、水平方向に延びる底壁部２１、及び該底壁部２１の両縁から互いに平行に立ち上げて形成された側壁部２２、２３を備え、各側壁部２２、２３の上端の内側には、係止部２５、２６が形成される。
【００２２】
また、蓋部材１９は、両縁の下部に前記係止部２５、２６と係止させられる被係止部２８、２９を備え、該被係止部２８、２９と前記係止部２５、２６とを係止させることによって、前記ブロック本体１８によって保持され、前記開口Ｍｔを閉鎖し、ブロック本体１８と蓋部材１９との間にケーブル１５を収容するケーブル収容空間Ｃａが形成される。なお、蓋部材１９がブロック本体１８によって保持された状態で、側壁部２２、２３の上端と蓋部材１９の頂面とが面一にされ、トラフＴｒｉの頂壁部が平坦にされる。本実施の形態においては、一つのブロック本体１８に対して一つの蓋部材１９が配設されるようになっているが、一つのブロック本体１８に対して複数の蓋部材１９を配設することができる。
【００２３】
なお、前記トラフＴｒｉの、地面１１からトラフＴｒｉまでの距離、すなわち、埋設深さは、道路１２の直下における、車両等の大きな荷重を受ける領域等においては、例えば、１．２〔ｍ〕にされ、他の領域においては、例えば、０．６〔ｍ〕にされる。
【００２４】
また、前記ケーブル１５には、一つの線から成る単心ケーブル、複数の線をより合わせることによって形成された二心ケーブル、三心ケーブル等、複数の線をパイプ内に収容したパイプ式ケーブル等があり、ケーブル１５は、前記トラフＴｒｉ内において、充填された砂１６によって、周囲が包囲された状態で支持される。
【００２５】
ところで、前記ケーブル１５は、老朽化したり、何らかの原因で破損したりすると、撤去されたり、新しいケーブルと交換されたりする。その場合、地面１１を開削し、蓋部材１９をブロック本体１８上から除去し、ブロック本体１８内の砂１６を除去し、ケーブル１５を撤去するか、又はケーブル１５を撤去した後、新しいケーブルを敷設しようとすると、撤去又は交換のための作業が煩わしい。また、開削に伴って生じる残土等を処理する必要があるので、工事費が高くなってしまう。しかも、ケーブル１５を撤去したり、交換したりした後に、地面１１を埋め戻す必要があるので、作業時間が長くなるだけでなく、道路１２に沿って地面を開削する場合には交通渋滞を引き起こしてしまう。
【００２６】
そこで、本実施の形態においては、地面を開削することなく、トラフＴｒｉを地中に配設したままでケーブル１５を撤去したり、交換したりすることができるようになっている。
【００２７】
次に、ケーブル撤去装置について説明する。
【００２８】
図１は本発明の第１の実施の形態におけるケーブル撤去装置を示す概念図、図５は本発明の第１の実施の形態におけるアタッチメントを示す斜視図である。
【００２９】
図において、１５はケーブル、Ｔｒ１はトラフ列１７（図２）の一方の端部のトラフ、Ｃａはケーブル収容空間、１６は砂、３１はケーブル１５の本体部、すなわち、ケーブル本体、３２は該ケーブル本体３１の両端に配設された端末、すなわち、ケーブル端末、３５はトラフＴｒｉが埋設された地中、３６は、ケーブル１５を撤去又は交換するために形成された立坑である。
【００３０】
また、４１は立坑３６内に配設されたケーブル撤去装置、４５は所定の長さを有し、ステンレス鋼、合成樹脂等から成り、各トラフＴｒｉ内の砂１６を取り込み、排出するための媒体排出管としての管体である。
【００３１】
該管体４５は、可撓性を有する管から成る管本体４６、及び該管本体４６の前端に着脱自在に取り付けられ、管体４５を前進させるときに砂１６を押し退けるための筒状体から成る、図５に示されるようなアタッチメント６１を備え、ケーブル１５の長さより所定の量だけ長くされる。なお、前記管本体４６の外周面及び内周面は、管体４５を前進させる際に管体４５とケーブル１５及び砂１６との間に発生する摩擦力を小さくするために平坦にされる。また、管本体４６の許容される最小の曲げ半径は２〔ｍ〕にされる。
【００３２】
前記アタッチメント６１は、大径部６１ａ及び小径部６１ｂを備えるとともに、該小径部６１ｂの前端に、ケーブル１５を管体４５内に取り込むための開口６２を備える。そのために、該開口６２及び管体４５の内径は、ケーブル１５の外径より所定量だけ大きくされる。
【００３３】
前記ケーブル撤去装置４１は、前記立坑３６内に配設され、前記管体４５を前進させてトラフＴｒｉ内に押し込んだり、管体４５を後退させてトラフＴｒｉ内から引き出したりするケーブル搬送装置４７、立坑３６外に配設され、前記トラフＴｒｉ内の砂１６を管体４５内に取り込み、管体４５外に排出するための充填材排出装置５０、ケーブル撤去装置４１の全体の制御を行う制御部５９、操作部６０等を備える。
【００３４】
前記ケーブル搬送装置４７は、管体４５を所定の方向から挟持する複数の、本実施の形態においては、左右から挟持する二つの挟持ユニット４９、及び管体４５を搬送するための搬送用の駆動部としての搬送モータ５１を備える。
【００３５】
前記各挟持ユニット４９は、前記搬送モータ５１と連結され、搬送モータ５１を駆動することによって回転させられる図示されない駆動側の回転体（プーリ、スプロケット等）、管体４５の搬送方向において前記駆動側の回転体と所定の距離を置いて回転自在に配設された図示されない被駆動側の回転体（プーリ、スプロケット等）、並びに駆動側の回転体及び被駆動側の回転体によって張設された伝動部材５３（ベルト、チェーン等）を備える。前記搬送モータ５１を正方向に駆動すると、伝動部材５３は矢印Ｂ、Ｃ方向に走行させられ、それにより、管体４５は矢印Ａ方向に搬送され、ケーブル収容空間Ｃａ内に押し込まれる。前記搬送モータ５１を逆方向に駆動すると、伝動部材５３は矢印Ｂ、Ｃ方向と反対方向に走行させられ、それにより、管体４５は矢印Ａ方向と反対に搬送され、ケーブル収容空間Ｃａ内から引き出される。
【００３６】
また、前記充填材排出装置５０は、管体４５内の空気を吸引し、矢印Ｄ方向に排出する吸引装置５５、及び真空状態を形成し、吸引装置５５を作動させるための吸引用の駆動部としてのポンプ５６を備える。
【００３７】
なお、前記立坑３６は、ケーブル撤去装置４１を設置することができ、かつ、作業者が操作部６０を操作することができるように所定の広さにされ、例えば、長さＬ、幅Ｗ及び深さＤが
５〔ｍ〕×２．５〔ｍ〕×２．２〔ｍ〕  
にされる。
【００３８】
次に、ケーブル撤去方法について説明する。
【００３９】
図６は本発明の第１の実施の形態におけるケーブル撤去方法を説明するための第１の概念図、図７は本発明の第１の実施の形態におけるケーブル撤去方法を説明するための第２の概念図、図８は本発明の第１の実施の形態におけるケーブル撤去方法を説明するための第３の概念図、図９は本発明の第１の実施の形態におけるケーブル撤去方法を説明するための第４の概念図、図１０は本発明の第１の実施の形態におけるケーブル撤去方法を説明するための第５の概念図、図１１は本発明の第１の実施の形態におけるケーブル撤去方法を説明するための第６の概念図である。
【００４０】
まず、作業者は、撤去又は交換しようとするケーブル１５の両端の近傍における２箇所に所定の深さの立坑３６、３７を形成し、立坑３６、３７においてトラフ列１７の両端のトラフＴｒ１、Ｔｒｎの開口Ｋｈ１、Ｋｈ２を露出させる。
【００４１】
次に、図６に示されるように、前記立坑３６、３７のうちの一方、本実施の形態においては、立坑３６の床面にケーブル搬送装置４７を設置し、管体４５の一端側を立坑３６内に導入して、前記アタッチメント６１をケーブル１５のケーブル端末３２に臨ませて、管本体４６を各挟持ユニット４９間に配設し、伝動部材５３によって挟む。なお、管体４５の他端側は立坑３６外に配設された吸引装置５５（図１）に接続される。
【００４２】
続いて、作業者による操作部６０の操作に基づいて、制御部５９は、搬送モータ５１を正方向に駆動するとともにポンプ５６を駆動する。これにより、ケーブル搬送装置４７における各挟持ユニット４９において、前記駆動側の回転体が回転させられ、図７に示されるように、伝動部材５３が矢印Ｂ、Ｃ方向に走行させられ、前記被駆動側の回転体が回転させられ、管体４５が矢印Ａ方向に搬送される。
【００４３】
また、前記充填材排出装置５０において、真空状態が形成され、吸引装置５５が作動させられ、吸引装置５５によって管体４５内の空気が矢印Ｄ方向に吸引されて排出される。これに伴い、管体４５の前端の周囲の空気が、矢印Ｅ方向に管体４５内に吸引される。
【００４４】
そして、管体４５は、図８に示されるように、開口６２内にケーブル１５を導入し、ケーブル１５に沿って、かつ、ケーブル１５によって案内されて矢印Ａ方向に搬送され、トラフＴｒｉ内を前進させられる。このとき、管体４５内の空気が矢印Ｄ方向に吸引されるのに伴って、管体４５の前端の周囲の空気及び砂１６が、矢印Ｅ方向に管体４５内に吸引される。管体４５内に吸引された空気及び砂１６は、管本体４６とケーブル１５との環状の隙間を流れた後、ケーブル１５の端末３２の部分を通過し、管本体４６内を更に矢印Ｄ方向に流れ、吸引装置５５によって排出される。
【００４５】
また、管体４５の前端の周囲の空気及び砂１６が、矢印Ｅ方向に管体４５内に吸引されるのに伴って、トラフＴｒ１の開口Ｋｈ１から立坑３６内の空気がケーブル収容空間Ｃａ内に進入し、ケーブル１５の外周面の近傍を矢印Ｆ方向に流れる。
【００４６】
このようにして、管体４５が前進させられるのに伴って、図８及び９に示されるように、管体４５の周囲に、管体４５を包囲する筒状の空間Ｓｃが形成される。
【００４７】
そして、図１０に示されるように、管体４５の前端が立坑３７に到達すると、作業者による操作部６０の操作に基づいて、制御部５９は、搬送モータ５１及びポンプ５６の駆動を停止させる。これにより、ケーブル搬送装置４７における各挟持ユニット４９による管体４５の搬送が停止させられ、充填材排出装置５０における吸引装置５５による空気の吸引が停止させられる。続いて、作業者は、立坑３７内において、所定の引抜装置を使用して管体４５内のケーブル１５を引き抜くことによって撤去する。
【００４８】
管体４５からのケーブル１５の撤去が終了すると、作業者による操作部６０の操作に基づいて、制御部５９は搬送モータ５１を逆方向に駆動する。これにより、図１１に示されるように、ケーブル搬送装置４７における各挟持ユニット４９において、駆動側の回転体が逆方向に回転させられ、伝動部材５３が矢印Ｇ、Ｈ方向（Ｂ、Ｃ方向と逆方向）に走行させられ、被駆動側の回転体が逆方向に回転させられ、管体４５がＩ方向（矢印Ａ方向と逆方向）に搬送され、トラフＴｒｉ内から引き抜かれる。
【００４９】
管体４５が撤去された後のトラフＴｒｉ内には、ケーブル１５が配設されていた部分に円柱状の空隙部Ｓｄが形成されるので、該空隙部Ｓｄには、流動化された充填材、本実施の形態においては、流動化処理土が、トラフＴｒ１、Ｔｒｎの開口Ｋｈ１、Ｋｈ２の一方、又は両方から充填される。
【００５０】
続いて、作業者は、立坑３６からケーブル搬送装置４７を撤去し、立坑３６、３７を埋め戻す。
【００５１】
このように、本実施の形態においては、管体４５が前進させられて、トラフＴｒｉ内に押し込まれ、トラフＴｒｉ内においてケーブル１５の周囲に充填された砂１６が管体４５内に取り込まれ、管体４５外に排出されるので、管体４５が立坑３７に到達すると、ケーブル１５の周囲の砂１６が除去された状態になる。
【００５２】
したがって、ケーブル１５を撤去する際に、地面を開削し、蓋部材１９（図２）をブロック本体１８上から除去した後にブロック本体１８内の砂を除去する必要がないので、作業を簡素化することができる。また、開削に伴って生じる残土等を処理する必要がないので、工事費を低くすることができる。しかも、ケーブル１５を撤去したり、交換したりした後に、地面を埋め戻す必要がないので、作業時間を短くすることができるだけでなく、道路に沿って作業を行う場合でも交通渋滞を引き起こすことがない。
【００５３】
さらに、ケーブル１５を新しいケーブルと交換する際に、撤去するケーブル１５と新しいケーブルとを連結し、撤去するケーブル１５を管体４５から引き出すだけで、新しいケーブルを敷設することができる。したがって、ケーブルを交換するための工事費を低くすることができる。
【００５４】
そして、ケーブル１５に外力が加わることがないので、ケーブル１５が破損するのを防止することができる。したがって、内部に油等の絶縁材料が充填されたケーブル１５を撤去する際にケーブル１５が破損して環境を汚染することがない。
【００５５】
次に、本発明の第２の実施の形態について説明する。なお、第１の実施の形態と同じ構造を有するものについては、同じ符号を付与し、同じ構造を有することによる発明の効果については同実施の形態の効果を援用する。
【００５６】
図１２は本発明の第２の実施の形態における管体の要部斜視図である。
【００５７】
図において、１４５は二重管構造を有する媒体排出管としての管体であり、該管体１４５は管本体１４６及びアタッチメント１６１を備える。
【００５８】
前記管本体１４６は、外管１４７、及び該外管１４７の内側に配設された内管１４８を備え、外管１４７と内管１４８との間に、環状の間隙から成る第１の空気供給部１５０が形成される。また、前記アタッチメント１６１は、外筐１６５、及び該外筐１６５の内側に配設された内筐１６６を備え、外筐１６５と内筐１６６との間に、環状の間隙から成る第２の空気供給部１５１が形成される。なお、前記外筐１６５は、大径部１６５ａ及び小径部１６５ｂを備える。
【００５９】
そして、管本体１４６にアタッチメント１６１が取り付けられた状態で、外管１４７と外筐１６５とが連結させられるとともに、内管１４８と内筐１６６とが連結されて、第１、第２の空気供給部１５０、１５１が連通させられるとともに、内管１４８の内側の空間と内筐１６６の内側の空間とが連通させられる。
【００６０】
また、前記アタッチメント１６１は、前端に、前記内筐１６６によって形成され、円形の形状を有し、ケーブル１５（図１）を取り込むための内側の開口１６２を備えるとともに、前記外筐１６５と内筐１６６との間に形成され、空気を吐出するための環状の開口１６３を備える。
【００６１】
さらに、前記管体１４５の後端において第１の空気供給部１５０は、前記吸引装置５５と連結され、吸引装置５５において充填剤としての砂１６と分離させられた空気が第１の空気供給部１５０に供給される。
【００６２】
したがって、吸引装置５５から供給された空気は第１、第２の空気供給部１５０、１５１を流れ、開口１６３から吐出されるので、管体１４５の前端の周囲の砂１６は、開口１６３から吐出された空気によって分散され、空気と共に管体１４５内に吸引される。
【００６３】
このように、管体１４５を前進させる際にアタッチメント１６１の前方の砂１６が管体１４５内に吸引されるので、管体１４５を円滑に前進させることができる。
【００６４】
次に、本発明の第３の実施の形態について説明する。なお、第２の実施の形態と同じ構造を有するものについては、同じ符号を付与し、同じ構造を有することによる発明の効果については同実施の形態の効果を援用する。
【００６５】
図１３は本発明の第３の実施の形態におけるアタッチメントの斜視図である。
【００６６】
この場合、小径部１６５ｂの外周面の円周方向における複数箇所に、軸方向に延びるスリット１６８が等ピッチで形成される。
【００６７】
したがって、吸引装置５５から供給された空気は第１、第２の空気供給部１５０、１５１を流れ、開口１６３及び各スリット１６８から吐出されるので、管体１４５の前端の周囲の砂１６は、開口１６３及びスリット１６８から吐出された空気によって分散され、空気と共に管体１４５内に吸引される。
【００６８】
その結果、管体１４５を前進させる際にアタッチメント１６１の前方及び側方の砂１６が管体１４５内に吸引されるので、管体１４５を円滑に前進させることができる。
【００６９】
前記各実施の形態においては、管体４５、１４５からケーブル１５が撤去されると、管体４５、１４５がトラフＴｒｉ内から撤去されるようになっているが、管体４５、１４５をトラフＴｒｉ内に残留させることができる。すなわち、管体４５、１４５をトラフＴｒｉ内に残留させることによって、管体４５、１４５を敷設することができる。
【００７０】
また、管体４５、１４５からケーブル１５が撤去された後、新しいケーブルを管体４５、１４５内に挿入することによって、新しいケーブルを敷設することができる。
【００７１】
さらに、管体４５、１４５からケーブル１５が撤去されるのと同時に新しいケーブルを敷設することによって、ケーブル１５を交換することができる。その場合、管体４５、１４５内のケーブル１５と新しいケーブルとが連結され、ケーブル１５を撤去することによって新しいケーブルが敷設され、ケーブル１５が交換される。また、管体４５、１４５の周囲に形成された筒状の空間Ｓｃに流動化処理土が充填される。
【００７２】
なお、本発明は前記各実施の形態に限定されるものではなく、本発明の趣旨に基づいて種々変形させることが可能であり、それらを本発明の範囲から排除するものではない。
【符号の説明】
【００７３】
１５    ケーブル
１６    砂
４１    ケーブル撤去装置
４５、１４５    管体
４７    ケーブル搬送装置
５０    充填材排出装置
６２、１６２    開口
Ｔｒｉ    トラフ
【図１】
2015171190.tif 000003
【図２】
2015171190.tif 000004
【図３】
2015171190.tif 000005
【図４】
2015171190.tif 000006
【図５】
2015171190.tif 000007
【図６】
2015171190.tif 000008
【図７】
2015171190.tif 000009
【図８】
2015171190.tif 000010
【図９】
2015171190.tif 000011
【図１０】
2015171190.tif 000012
【図１１】
2015171190.tif 000013
【図１２】
2015171190.tif 000014
【図１３】
2015171190.tif 000015